(57)【要約】      （修正有）【課題】皮膚からの皮脂の分泌を客観的に容易に判断することができる皮脂検査パッチを提供する。【解決手段】皮膚表面に当てられる皮脂吸収性フィルム１４と、皮脂吸収性フィルム１４が設けられた台紙１２とを備える。皮脂吸収性フィルム１４が設けられた部分の台紙１４の表面には、暗色層１６を有し、皮脂吸収性フィルム１４の側方の台紙１２表面には皮脂吸収状態見本を備える。皮脂吸収性フィルム１４は、微孔質疎水性ポリオレフィンフィルムである。【選択図】図１
0003140556.tif 000002
【実用新案登録請求の範囲】
【請求項１】
皮膚表面に当てられる皮脂吸収性フィルムと、この皮脂吸収性フィルムが設けられた台紙と、前記皮脂吸収性フィルムが設けられた部分の前記台紙表面に形成され前記皮脂吸収性フィルムとは異なる色の層と、前記皮脂吸収性フィルムの側方の前記台紙表面に設けられた皮脂吸収状態見本とを備えたことを特徴とする皮脂検査パッチ。
【請求項２】
前記台紙の前記皮脂吸収性フィルムとは異なる色の層は、暗色層である請求項１記載の皮脂検査シート。
【請求項３】
前記皮脂吸収性フィルムは、微孔質疎水性ポリオレフィンフィルムである請求項２記載の皮脂検査シート。
【考案の詳細な説明】
【技術分野】
【０００１】
この考案は、皮膚表面の皮脂分泌量を測定する皮脂検査パッチに関する。
【背景技術】
【０００２】
一般に、皮脂特に顔の額や鼻等の皮脂の量は、顔部分の肌状態や化粧の載り等に影響するものである。しかし、この皮脂の状態や量を測定する簡単な方法が無く、多くは主観的な判断により対応しているものであった。
【０００３】
一方、特許文献１に開示されているように、微孔質疎水性ポリエチレンフィルムを用いて、皮膚からの皮脂の分泌を視覚的に捉える測定方法も提案されている。この方法は、皮膚との接触に際し皮膚表面から分泌される皮脂を吸収することができるフィルムを用いて、皮脂を吸収後のフィルムの透明性により、吸収された皮脂の量を測るものである。
【特許文献１】特表平１１−５０３３３７号公報
【考案の開示】
【考案が解決しようとする課題】
【０００４】
上記従来の皮脂測定方法は、フィルムに吸収された皮脂の量を判断する指標がなく、結局主観的に多いか少ないかを判断せざるを得ないものであった。従って、主観的な判断による化粧品や医薬品の使用により、かえって肌に悪い影響を与えてしまう場合もあった。
【０００５】
この発明は、上記背景技術の問題点に鑑みてなされたものであり、皮膚からの皮脂の分泌を客観的に容易に判断することができる皮脂検査パッチを提供することを目的とする。
【課題を解決するための手段】
【０００６】
この発明は、皮膚表面に当てられる皮脂吸収性フィルムと、この皮脂吸収性フィルムが設けられた台紙と、前記皮脂吸収性フィルムが設けられた部分の前記台紙表面に形成され前記皮脂吸収性フィルムとは異なる色の層と、前記皮脂吸収性フィルムの側方の前記台紙表面に設けられた皮脂吸収状態見本とを備えた皮脂検査パッチである。
【０００７】
前記台紙の前記皮脂吸収性フィルムと異なる色の層は、暗色層である。さらに、前記台紙の裏面には、指で押さえる位置のマークが設けられていても良い。前記皮脂吸収性フィルムは、微孔質疎水性ポリオレフィンフィルムである。
【考案の効果】
【０００８】
この発明の皮脂検査パッチは、被験者の皮脂分泌状態を容易に視覚的にとらえることができ、しかもその程度を容易に知ることができるものである。これにより、化粧品等の選択を正確に行うことができ、各自の皮膚の状態にあった化粧品や薬剤を選択することができる。さらに、皮脂分泌量を知ることにより、洗髪により皮脂を適切に処理し、脱毛の予防を効果的に行うこともできる。
【考案を実施するための最良の形態】
【０００９】
以下、この考案の実施形態について図面に基づいて説明する。図１〜図４はこの考案の一実施形態を示すもので、この実施形態の皮脂検査パッチ１０は、紙や樹脂シート等の台紙１２の表面の一部に、微孔質疎水性ポリオレフィンフィルムによる皮脂吸収性フィルム１４が貼り付けられている。皮脂吸収性フィルム１４が貼付された台紙１２の表面は、黒色インキによる暗色層１６が形成されている。
【００１０】
台紙１２の表面の皮脂吸収性フィルム１４の側方には、図２に示すように、皮脂吸収性フィルム１４が皮脂を吸収した状態の、皮脂の量の程度に合わせた皮脂吸収状態見本１８が印刷されている。皮脂吸収状態見本１８の横には、その状態での皮脂の量を説明した説明文２０が記載されている。また、台紙１２の裏面には、皮脂量を検査する際に、この皮脂検査パッチ１０の押さえる位置を示すマーク２２が印刷されていると良い。
【００１１】
皮脂吸収性フィルム１４は、たとえば微孔質疎水性ポリオレフィンフィルムであって、多孔率２０％〜５０％、厚さ２０μｍ〜３０μｍ、微細孔径が０．０３μｍ〜０．２μｍのものから成る。この皮脂吸収性フィルム１４は、微細孔が均一に分布しており、当初の状態では不透明である。そして、皮脂と接触することにより、微細孔が皮脂で充填され、その部位分が光透過性を有することになる。これにより、この皮脂吸収性フィルム１４を皮膚表面に僅かな圧力を加えて接触させると、皮膚からの皮脂分泌により透光性を有する部分が現れ、その程度により、皮脂分泌に関する種々の検査が可能なものとなる。
【００１２】
この実施形態の皮膚検査パッチの使用方法は、図４に示すように、皮脂検査パッチ１０の皮脂吸収性フィルム１４部分を裏面側から指２４で押さえるようにして、額２６などの皮脂測定箇所に当てる。この時の押圧時間は、２秒〜５秒程度である。
【００１３】
この後、皮脂吸収性フィルム１４が吸収した皮脂の程度により、図２に示すように皮脂吸収性フィルム１４の表面に斑点状に暗色部が形成される。この暗色の斑点の密度により、その横の皮脂吸収状態見本１８のうちの近いものの説明を見ることによって、皮脂の分泌量を知ることができる。本考案の実施形態の皮脂検査パッチ１０では、皮脂測定範囲が、５０〜３００μｇ／ｃｍ２であり、この範囲を４〜５段階に分類して皮脂分泌状態を確認することができる。
【００１４】
この実施形態の皮脂検査パッチ１０によれば、額等の皮脂分泌量を、側方の皮脂吸収状態見本１８により、比較的正確に把握することができる。しかも、簡単に自分で検査することができ、より正確にこまめに検査することができる。
【００１５】
なお、この発明の皮脂検査パッチは、上記実施形態に限定されるものではない。例えば、皮脂吸収性フィルムは、樹脂製のもの以外に、化粧用の脂取り紙やその他の親油性のフィルムや紙を用いることも可能である。また、皮脂吸収状態見本の説明は、言葉によるもの以外に数値による段階説明や、その他皮脂分泌状態を示す記号や図を用いても良い。皮脂吸収性フィルムの裏側の台紙の色も、皮脂吸収性フィルムと異なる色であれば、どのような色でも良いが、暗色が好ましい。
【図面の簡単な説明】
【００１６】
【図１】この発明の実施形態の皮脂検査パッチの側面図である。
【図２】この実施形態の皮脂検査パッチの平面図である。
【図３】この実施形態の皮脂検査パッチの底面図である。
【図４】この実施形態の皮脂検査パッチの使用状態を示す模式図である。
【符号の説明】
【００１７】
１０  皮脂検査パッチ
１２  台紙
１４  皮脂吸収性フィルム
１６  暗色層
１８  皮脂吸収状態見本
【図１】
0003140556.tif 000003
【図２】
0003140556.tif 000004
【図３】
0003140556.tif 000005
【図４】
0003140556.tif 000006